(57)【要約】  【課題】波のブロック面にあたる入射方向とその反射方向は対面方向となり、この反射波が次の襲来波と重複する場所は単純に波高が２倍となり、その海底部は波による洗掘が大きくなるという問題があり、また、波浪が消波ブロックを積み上げたブロック堤に打ち当り、空隙からエネルギーが軽減された海水が背後に透過するが、その透過後の海水エネルギーが背後に影響するために、その透過率の設定が難しいという問題がある。【解決手段】球体を２個以上平面状に連結した構造の消波根固め用コンクリートブロック。【選択図】  図２
2013221319.tif 000002
【特許請求の範囲】
【請求項１】
球体を２個以上平面状に連結した構造のコンクリート製の消波根固め用コンクリートブロック。
【請求項２】
請求項１において、球体を直接連結したことを特徴とする消波根固め用コンクリートブロック。
【請求項３】
請求項１において、球体を連結軸を介して連結したことを特徴とする消波根固め用コンクリートブロック。
【請求項４】
請求項１の消波根固め用コンクリートブロックを構成するすべての球体が半球状態になる方向に半切した形状で周囲にフランジを形成し、そのフランジおよび型枠の中央にボルト孔を設け、コンクリート注入用の注入口を設けたことを特徴とする消波根固め用コンクリートブロックの製造型枠。
【発明の詳細な説明】
【技術分野】
【０００１】
本発明は、河川、砂防、海岸、港湾工事等に使用される消波根固め用コンクリートブロックおよびその製造型枠に関する。
【背景技術】
【０００２】
一般に消波ブロックと言われている消波根固め用コンクリートブロック（以下、消波ブロックという。）は、テトラポッド（登録商標）から始まって長年にわたり非常に多くの構造のものが開発されている（例えば、特許文献１参照、特許文献２参照）。
【先行技術文献】
【特許文献】
【０００３】
【特許文献１】特開平１１−１０７２４５号公報
【特許文献２】特開２００９−５２３５８号公報
【発明の概要】
【発明が解決しようとする課題】
【０００４】
このような消波ブロックは、一般に平面構造をもっており、波のブロック面にあたる入射方向とその反射方向は対面方向となり、この反射波が次の襲来波と重複する場所は単純に波高が２倍となり、その海底部は波による洗掘が大きくなるという問題がある。
また、波浪が消波ブロックを積み上げたブロック堤に打ち当り、空隙からエネルギーが軽減された海水が背後に透過するが、透過後の海水エネルギーが背後に影響するために、その透過率の設定が難しいという問題がある。特に、背後が砂浜である場合には正しい透過率の設定が要求される。
【０００５】
このように、襲来波の反射とその透過の兼ね合いが良好なブロック堤の設計は、各条件の異なる現場毎に相反する二つの条件を同時に満たすようにするために極めて難しい設計となる。
また、上記テトラポッドは曲面構造であるために反射波が一方向とならないという利点があるが、ブロック自体が４本脚の立体構造であるために、積み上げてブロック堤にするときに安定した立体に組み立てることが難しく、設計通りの透過率を得ることが困難であるという問題がある。
【課題を解決するための手段】
【０００６】
本発明は、球体を２個以上平面状に連結した構造のコンクリート製の消波ブロックである。
この、球体の連結形状は、２個、３個、４個等であり、２個の場合は球体を２個並べて直線状をなし、３個の場合は球体を平面状に正三角形をなすように連結し、４個の場合は球体を平面状に正四角形をなすように連結する。
【０００７】
また、連結状態は、球体を互いに直接接続した状態、もしくは、例えば球体の半径の長さとした連結軸を介して接続した状態とする。
また、上記消波ブロックの製造型枠は、上記四角形や三角形にしたブロックを構成するすべての球体が半球状態になる方向に半切した型枠とし、それを向い合せに組み合わせて一組とし、周囲に形成したフランジに設けたボルト孔によってボルト締めして一体にし、所定個所に設けた注入口よりコンクリートを流し込んで製造することができる。
【発明の効果】
【０００８】
以上のようにした消波ブロックによると、整列の組み立ておよび乱積みが可能であり、整列積みにすると正確な整列組み立て状態を形成することができるために襲来波に対する反射と透過の両方の条件を満たすブロック堤の設計が容易となって現場の地形、潮流、襲来波の各種条件に合うブロック堤の構築が可能となる。
【０００９】
このように構築されたブロック堤は、堤を構成する消波ブロックが球面体であるために反射波を来襲方向に戻さないで多方向に拡散させるという効果があり、しかも、設計通りにエネルギーが軽減された海水を透過させることができ、透過後の堤背後に対する海水エネルギーの影響を設計通りに得られることになる。
また、上記製造型枠は極めて単純な単一の形状となり、ブロックの製造が容易であると共に型枠の保管および取扱が容易なものとなる。
【図面の簡単な説明】
【００１０】
【図１】実施例１の説明図
【図２】実施例１の説明図
【図３】実施例２の説明図
【図４】実施例２の説明図
【図５】実施例１の消波ブロックの整列積みの平面説明図
【図６】実施例１の消波ブロックの整列積みの側面説明図
【図７】製造型枠の例を示す説明図
【図８】製造型枠の例を示す側面説明図
【発明を実施するための形態】
【００１１】
本発明の実施例を説明する。
【実施例１】
【００１２】
図１および図２は、それぞれ実施例を示す説明図である。
図１は球体１を平面状に３個直接連結した正三角形状の消波ブロック２である。
図２は球体１を平面状に４個直接連結した正四角形状の消波ブロック２である。
このような消波ブロック２は、ブロック堤を構築するにあたり、乱積みは無論のこと整列積みすることができる。
【００１３】
例えば、整列積みを正四角形状の消波ブロック２で説明すると、図５の平面説明図および図６の側面説明図に示す如く、ブロック堤を構築する箇所の海（水）底に縦方向および横方向に連続して並べて設置し、その上に４個の球体の間に１個の球体が納まるように並べて所望の段数重ねることにより所定の高さの堤を構築することができる。
【００１４】
また、正四角形状の消波ブロックだけの組み合わせだけではなく、球体を２個連結した消波ブロックとの組み合わせ、さらには正三角形状の消波ブロックとを組み合わせて構築することができる。
なお、上記は正四角形状の消波ブロックの整列積みを説明したが、正三角形状の消波ブロックによる構築もある。この場合も、その構築に際して、上記正四角形状と同様に他の形状の消波ブロックとの組み合わせも可能である。
【００１５】
つぎに、製造型枠は、図７および図８に示す如く、四角形状や三角形状等の消波ブロックをそのすべての球体が半球状態になる方向に半切した形状の型枠３とし、周囲に形成したフランジ４および型枠の中央にボルト孔５を設けてある。この型枠３は、２つの型枠３を向かい合わせにしてフランジ４および中央のボルト孔５にボルトを通して締め付けて一体にして使用するものである。６はコンクリート注入用の注入口である。
【００１６】
なお、図では、型枠を立てて使用するための底板８を示しているが、必ずしも底板８は必要なものではなく、なくてもよい。
このような型枠３を用いて消波ブロックを製造するが、その製造に際しては、対向するように合わせて組み付けた型枠内に三角形状の場合には三角形に、四角形状の場合には四角形に組んだ鉄筋を配置し、フランジ４および型枠の中央に設けたボルト孔５にボルトを通して一体に組み付けた型枠内に注入口６よりコンクリートを流し込んで製造する。
【００１７】
なお、消波ブロックは、使用箇所および使用目的に対応するように複数種類の大きさがあり、その大きさに合わせた型枠がそれぞれ用意される。
このような型枠を用いて現場において、消波ブロックを製造することができ、使用される型枠はすべて同一形状でしかも扁平であるために高く重ねて保管することが可能であり、保管面積をとらず、取り扱いが容易である。
【実施例２】
【００１８】
図３および図４は、それぞれ実施例を示す説明図である。
図３は球体１を平面状に３個連結した正三角形状の消波ブロック２である。
図４は球体１を平面状に４個連結した正四角形状の消波ブロック２である。
これらブロックは、球体１の半径の長さで所望の太さの連結軸７によって正三角形状もしくは正四角形状に連結した消波ブロック２である。図示はしないが、２個の球体を連結軸を介して連結した消波ブロックもある。
【００１９】
このような消波ブロック２は、ブロック堤を構築するにあたり、乱積みは無論のこと整列積みすることができる。
例えば、整列積みは上記実施例１とまったく同様に実施することができる。
さらに、製造型枠についても、上記実施例１と同様であり、球体が連結軸によって連結された形状の型枠となり、ブロックの製造方法も上記実施例１と同様である。
【符号の説明】
【００２０】
１  球体
２  消波ブロック
３  型枠
４  フランジ
５  ボルト孔
６  注入口
７  連結軸
８  底板
【図１】
2013221319.tif 000003
【図２】
2013221319.tif 000004
【図３】
2013221319.tif 000005
【図４】
2013221319.tif 000006
【図５】
2013221319.tif 000007
【図６】
2013221319.tif 000008
【図７】
2013221319.tif 000009
【図８】
2013221319.tif 000010